(57)【特許請求の範囲】
【請求項１】
少なくとも４基のユニットにより構成したユニット住宅に使用される連結金具であって、
４ユニットのコーナの突き合わせ部において、一方向に隣接する第１ユニット及び第２ユニットの柱間に掛け渡される第１掛け渡し部材と、
４ユニットのコーナの突き合わせ部において、一方向に隣接する第３ユニット及び第４ユニットの柱間に掛け渡される第２掛け渡し部材と、
前記第１掛け渡し部材及び第２掛け渡し部材間を引き寄せ状態で連結する連結部材と
を備え、
前記第１掛け渡し部材及び第２掛け渡し部材は、隣接する柱にそれぞれ掛け止めされる一対のフランジと、挿通孔を有し、前記両フランジ間に位置するとともに前記柱間に嵌挿される連結部とを備え、
前記連結部材は、両端部にネジ部を有し、その両端部が前記挿通孔に挿通される連結ロッドと、前記挿通孔から突出されたネジ部に螺合されるナットとを備えたことを特徴とするユニット住宅用連結金具。
【請求項２】
請求項１に記載の連結金具において、
４ユニットのコーナの突き合わせ部において、他方向に隣接する第１ユニット及び第３ユニットの柱間に掛け渡される第３掛け渡し部材と、
４ユニットのコーナの突き合わせ部において、他方向に隣接する第２ユニット及び第４ユニットの柱間に掛け渡される第４掛け渡し部材と、
前記第３掛け渡し部材及び第４掛け渡し部材間を引き寄せ状態で連結する前記連結部材と
をさらに備え、
前記第１掛け渡し部材及び第２掛け渡し部材間を連結する前記連結部材の連結ロッドと前記第３掛け渡し部材及び第４掛け渡し部材間を連結する前記連結部材の連結ロッドとは、互いに直交するように配置されていることを特徴とするユニット住宅用連結金具。
【請求項３】
少なくとも４基のユニットにより構成したユニット住宅であって、
請求項１または２に記載の連結金具を用いたことを特徴とするユニット住宅。
【発明の詳細な説明】
【０００１】
【発明の属する技術分野】
この発明は、複数の箱状の住宅ユニットを組み合わせて建築されるユニット住宅用の連結金具、及びそれを用いたユニット住宅に関するものである。
【０００２】
【従来の技術】
従来より、住宅構造の１つとして、工場で製造した箱状の建物ユニットを、建築現場で複数組み合わせて建築されるユニット式建物、いわゆるユニット住宅が具体化されている。この種のユニット住宅において、図５に示すように、４基のユニット３１，３２，３３，３４を隣接状態で組み立てる場合には、４ユニット３１〜３４を、そのコーナを突き合わせた状態で配置している。
【０００３】
【発明が解決しようとする課題】
ところが、このユニット住宅では、各ユニット３１〜３４の寸法誤差や、建築現場で設置する際の設置誤差等により、柱３５の配列に食い違いが発生する場合もある。このため、図５に示すように、４ユニット３１〜３４を組み立てた際に、それらのコーナの突き合わ部において位置ずれが生じて、隣接するユニット３１〜３４の柱３５間や間仕切壁３６間に段差が生じたり、内装板３７の連結部分３７ａが斜めになったりするという問題があった。
【０００４】
この発明は、このような従来の技術に存在する問題点に着目してなされたものである。その目的とするところは、４基のユニットのコーナの突き合わせ部を、位置ずれなく整列させた状態で連結組立することができて、隣接するユニットの柱間や間仕切壁間に段差が生じたり、内装板の連結部分が斜めになったりするのを防止することができるユニット住宅用連結金具、及びそれを用いたユニット住宅を提供することにある。
【０００５】
【課題を解決するための手段及び発明の効果】
上記の目的を達成するために、請求項１に記載の発明では、少なくとも４基のユニットにより構成したユニット住宅に使用される連結金具であって、４ユニットのコーナの突き合わせ部において、一方向に隣接する第１ユニット及び第２ユニットの柱間に掛け渡される第１掛け渡し部材と、４ユニットのコーナの突き合わせ部において、一方向に隣接する第３ユニット及び第４ユニットの柱間に掛け渡される第２掛け渡し部材と、前記第１掛け渡し部材及び第２掛け渡し部材間を引き寄せ状態で連結する連結部材とを備えたものである。
【０００６】
従って、４基のユニットのコーナの突き合わせ部を引き寄せることにより、位置ずれなく整列させた状態で連結組立することができる。よって、各ユニット間に存在する寸法誤差や設置誤差に起因して、隣接するユニットの柱間や間仕切壁間に段差が生じたり、内装板の連結部分が斜めになったりするのを防止することができる。
【０００７】
また、請求項１に記載の発明では、前記掛け渡し部材は、隣接する柱にそれぞれ掛け止めされる一対のフランジと、挿通孔を有し、前記両フランジ間に位置するとともに前記柱間に嵌挿される連結部とを備え、前記連結部材は、両端部にネジ部を有し、その両端部が前記挿通孔に挿通される連結ロッドと、前記挿通孔から突出されたネジ部に螺合されるナットとを備えたものである。
【０００８】
従って、連結金具の構成が簡単であるとともに、簡単な操作によって各ユニットのコーナの突き合わせ部の位置ずれを容易に矯正することができる。
請求項２に記載の発明では、請求項１に記載の連結金具において、４ユニットのコーナの突き合わせ部において、他方向に隣接する第１ユニット及び第３ユニットの柱間に掛け渡される第３掛け渡し部材と、４ユニットのコーナの突き合わせ部において、他方向に隣接する第２ユニット及び第４ユニットの柱間に掛け渡される第４掛け渡し部材と、前記第３掛け渡し部材及び第４掛け渡し部材間を引き寄せ状態で連結する連結部材とをさらに備え、前記第１掛け渡し部材及び第２掛け渡し部材間を連結する前記連結部材の連結ロッドと前記第３掛け渡し部材及び第４掛け渡し部材間を連結する前記連結部材の連結ロッドとは、互いに直交するように配置されているものである。
請求項３に記載の発明では、少なくとも４基のユニットにより構成したユニット住宅であって、請求項１または２に記載の連結金具を用いたものである。
【０００９】
従って、４基のユニットのコーナの突き合わせ部において、隣接する柱間や間仕切壁間に段差が生じるのを防止することができて、前述した作用を得ることができる。
【００１０】
【発明の実施の形態】
以下に、この発明の一実施形態を、図面に基づいて詳細に説明する。
図１に示すように、この実施形態のユニット住宅は、少なくとも４基のユニット１１，１２，１３，１４を備えている。各ユニット１１〜１４は、四隅に立設配置される４本の柱１５と、隣接する柱１５の上端部間を相互に連結する４本の天井梁１６と、隣接する柱１５の下端部間を相互に連結する４本の床梁１７とにより、基準寸法を１モジュールとした所定モジュールの直方体状の骨組構造に構成されている。そして、図１及び図２に示すように、４基のユニット１１〜１４が建築現場において隣接状態に設置され、それらのコーナの柱１５が突き合わせ状態で組み立てられるようになっている。
【００１１】
図１及び図２に示すように、前記各ユニット１１〜１４のコーナの突き合わせ部の上下方向のほぼ中央部において、隣接対向するユニット１１〜１４の柱１５間には、一対の連結金具１８が直交する方向に架設配置されている。各連結金具１８は、一方向に隣接する各一対のユニット１１〜１４の柱１５間に掛け渡される一対の掛け渡し部材１９と、対向する一対の掛け渡し部材１９間を引き寄せ状態で連結する連結部材２０とから構成されている。
【００１２】
図３及び図４に示すように、前記各掛け渡し部材１９は、平面形ほぼＴ字状をなす一対の平面板２１と、断面ほぼＬ字状をなす一対の側面板２２と、正面形ほぼ四角状の端面板２３とを相互に溶接固定することにより形成されている。そして、掛け渡し部材１９の両側には、隣接する柱１５にそれぞれ掛け止めされる一対のフランジ１９ａが形成されている。また、掛け渡し部材１９の中間部には、両フランジ１９ａ間に位置するとともに挿通孔１９ｃを有する連結部１９ｂが形成されている。
【００１３】
前記連結部材２０は、両端部にネジ部２４ａを有し、その両端部において掛け渡し部材１９の挿通孔１９ｃに挿通される連結ロッド２４と、挿通孔１９ｃから突出された連結ロッド２４の各ネジ部２４ａに螺合される一対のナット２５とから構成されている。そして、これらのナット２５を締め付けることにより、対向配置された一対の掛け渡し部材１９が内側に引き寄せられて、４基のユニット１１〜１４のコーナの突き合わせ部において、隣接する柱１５の位置ずれが矯正されるようになっている。なお、ナット２５の外周と側面板２２の内面との間には、ナット２５を回すためのレンチを進入可能とした隙間が形成される。
【００１４】
次に、前記のように構成されたユニット住宅用連結金具について作用を説明する。
さて、ユニット住宅の建築時には、工場で製造されたユニット１１〜１４を建築現場に搬送して、図１に示すように、それらのユニット１１〜１４を建築現場において隣接状態に設置する。そして、各ユニット１１〜１４のコーナの突き合わせ部の上下ほぼ中央部において、隣接対向するユニット１１〜１４の柱１５間に、一対の連結金具１８を直交状態で架設装着する。
【００１５】
この連結金具１８の装着時には、図２〜図４に示すように、隣接するユニット１１〜１４の柱１５間に掛け渡し部材１９の連結部１９ｂを嵌挿して、その掛け渡し部材１９のフランジ１９ａを各柱１５に掛け止めする。その後、対向配置された一対の掛け渡し部材１９の挿通孔１９ｃに連結ロッド２４の両端ネジ部２４ａを挿通し、挿通孔１９ｃから突出された各ネジ部２４ａにナット２５を螺合させる。
【００１６】
この状態で、前記各ナット２５を締め付けると、対向配置された一対の掛け渡し部材１９が内側に引き寄せられて、４基のユニット１１〜１４のコーナの突き合わせ部において、隣接する柱１５間の位置ずれが矯正される。よって、工場での製造に際してユニット１１〜１４間に寸法誤差が発生したり、建築現場への設置に際してユニット１１〜１４間に設置誤差が発生したりしていても、各ユニット１１〜１４のコーナの突き合わ部において、隣接する柱１５間に位置ずれが生じることはない。従って、図２に示すように、隣接するユニット１１〜１４の柱１５間や間仕切壁２６間に段差が生じたり、内装板２７の連結部分２７ａが斜めになったりすることはなく、その柱１５間や間仕切壁２６間に内装板２７等を歪みなく接合配置することができる。
【００１７】
前記の実施形態によって期待できる効果について、以下に記載する。
・  この実施形態のユニット住宅用連結金具においては、４基のユニット１１〜１４のコーナの突き合わせ部において、一方向に隣接する各一対のユニット１１〜１４の柱１５間に掛け渡される掛け渡し部材１９が設けられている。また、対向する掛け渡し部材１９間を引き寄せ状態で連結するための連結部材２０が設けられている。
【００１８】
このため、隣接する各一対のユニット１１〜１４の柱１５間に掛け渡し部材１９を掛け渡した状態で、対向する掛け渡し部材１９間を連結部材２０により引き寄せ状態で連結することにより、４基のユニット１１〜１４のコーナの突き合わせ部を、位置ずれなく整列させた状態で連結組立することができる。よって、各ユニット１１〜１４間に存在する寸法誤差や設置誤差に起因して、隣接するユニット１１〜１４の柱１５間や間仕切壁２６間に段差が生じたりるのを防止することができる。
【００１９】
・  この実施形態のユニット住宅用連結金具においては、掛け渡し部材１９が、隣接する柱１５にそれぞれ掛け止めされる一対のフランジ１９ａと、挿通孔１９ｃを有し、両フランジ１９ａ間に位置する連結部１９ｂとを備えている。また、連結部材２０が、両端部にネジ部２４ａを有し、その両端部が挿通孔１９ｃに挿通される連結ロッド２４と、挿通孔１９ｃから突出されたネジ部２４ａに螺合されるナット２５とを備えている。このため、連結金具の構成が簡単であるとともに、ナット２５を連結ロッド２４のネジ部２４ａに締め付けるという簡単な操作によって、各ユニット１１〜１４のコーナの突き合わせ部の位置ずれを容易に矯正することができる。
【００２０】
・  この実施形態のユニット住宅においては、前記のような構成の連結金具１８を用いて、４基のユニット１１〜１４のコーナの突き合わせ部を連結組立するようになっている。このため、４ユニット１１〜１４のコーナの突き合わせ部において、隣接する柱１５間や間仕切壁２６間に段差が生じるのを防止することができて、その柱１５間や間仕切壁２６や内装板等を歪みなく接合配置することができる。
【００２１】
なお、この実施形態は、次のように変更して具体化することも可能である。
・  連結部材２４の一方のナット２５を、一方の掛け渡し部材１９の連結部１９ｂに予め溶接固定しておくこと。
【００２２】
・  連結部材２４の一方のナット２５を省略し、一方の掛け渡し部材１９の挿通孔１９ｃに代えてナットの代わりとなるネジ孔を形成すること。
【図面の簡単な説明】
【図１】  この発明の一実施形態を示すユニット住宅の斜視図。
【図２】  ユニット住宅用連結金具の取付部を拡大して示す要部断面図。
【図３】  図２の一部をさらに拡大して示す部分断面図。
【図４】  図３の連結金具の要部正面図。
【図５】  従来のユニット住宅の要部断面図。
【符号の説明】
１１，１２，１３，１４…ユニット、１５…柱、１８…連結金具、１９…掛け渡し部材、１９ａ…フランジ、１９ｂ…連結部、１９ｃ…挿通孔、２０…連結部材、２４…連結ロッド、２４ａ…ネジ部、２５…ナット。
【図１】
0004070341.tif 000002
【図２】
0004070341.tif 000003
【図３】
0004070341.tif 000004
【図４】
0004070341.tif 000005
【図５】
0004070341.tif 000006